(57)【要約】【課題】冷たい外気を建物の１階で効果的に流通させることができる。【解決手段】建物１００は、１階の北側に配置された北側空間部１と、該北側空間部１の南側に配置された１階の南側空間部２と、北側空間部１と南側空間部２とを連通する連通部Ｒと、備え、北側空間部１の北側の外壁Ｇ１には、北側空間部１の床面Ｆ１に沿って北側開口部Ｗ１が設けられ、南側空間部２の南側の外壁Ｇ２には、南側開口部Ｗ２が設けられ、北側空間部１の床面Ｆ１は、熱容量の大きい材料で形成され、南側空間部２の南側の床面Ｆ２３は、北側空間部１の床面Ｆ１よりも高く、連通部Ｒの上端ＲＡは、南側空間部２の天井Ｃ２と同じ高さ又は南側空間部２の天井Ｃ２よりも低く設けられていることを特徴とする。【選択図】図２
2016069938.tif 000002
【特許請求の範囲】
【請求項１】
１階の北側に配置された北側空間部と、
該北側空間部の南側に配置された前記１階の南側空間部と、
前記北側空間部と前記南側空間部とを連通する連通部と、
を備え、
前記北側空間部の北側の外壁には、前記北側空間部の床面に沿って北側開口部が設けられ、
前記南側空間部の南側の外壁には、南側開口部が設けられ、
前記北側空間部の床面は、熱容量の大きい材料で形成され、
前記南側空間部の前記南側の外壁側の床面は、前記北側空間部の前記床面よりも高く、
前記連通部の上端は、前記南側空間部の天井と同じ高さ又は前記南側空間部の天井よりも低く設けられていることを特徴とする建物。
【請求項２】
前記連通部は、前記北側空間部と前記南側空間部とを連通する室内開口部であることを特徴とする請求項１に記載の建物。
【請求項３】
前記室内開口部は、開閉可能な建具で構成され、
該建具の少なくとも下部には、厚さ方向に貫通する通風開口部が形成されていることを特徴とする請求項２に記載の建物。
【請求項４】
前記北側開口部の上端は、前記南側開口部の上端よりも低く設けられていることを特徴とする請求項１から３のいずれか一項に記載の建物。
【請求項５】
前記北側開口部の開口面積は、前記南側開口部の開口面積よりも小さいことを特徴とする請求項１から４のいずれか一項に記載の建物。
【発明の詳細な説明】
【技術分野】
【０００１】
本発明は、建物に関するものである。
【背景技術】
【０００２】
一般に、建物において、窓から外気を建物内に導入して建物内を流通される通風により、建物内の室温を下げることが行われている。例えば、建物の１階の東西方向の中央に、建物の北側から南側に向かって順に、階段室、リビング、１階のサンルームが配置された建物において、階段室の北側の外壁には開口窓が設けられ、１階のサンルームの南側の外壁にも開口窓が設けられた建物が提案されている（下記特許文献１参照）。また、この建物において、リビングの上部は吹抜け部とされ、吹抜け部と隣接する２階部分は２階のサンルームとされている。階段室の開口部から導入された北側の外気が、リビングを通過して、１階のサンルームに導入され、１階のサンルームの開口窓から排出される空気の流れが形成される構成とされている。
【先行技術文献】
【特許文献】
【０００３】
【特許文献１】特許第５２８０７０３号公報
【発明の概要】
【発明が解決しようとする課題】
【０００４】
上記に示す特許文献１に記載の建物では、階段室の開口窓から導入された外気が、リビング、吹抜け部、吹抜け部と２階のサンルームとの間に設けられた開口部を順次通過して、２階サンルームに導入され、２階のサンルームの開口窓から排出される空気の流れも形成される。よって、１階のリビング、サンルーム等の１階の居室に、外気を効果的に流通させることができない可能性があった。
【０００５】
そこで、本発明は、上記事情に鑑みてなされたものであり、冷たい外気を建物の１階で効果的に流通させることができる建物を提供する。
【課題を解決するための手段】
【０００６】
上記目的を達成するために、本発明は以下の手段を採用している。
すなわち、本発明に係る建物は、１階の北側に配置された北側空間部と、該北側空間部の南側に配置された前記１階の南側空間部と、前記北側空間部と前記南側空間部とを連通する連通部と、備え、前記北側空間部の北側の外壁には、前記北側空間部の床面に沿って北側開口部が設けられ、前記南側空間部の南側の外壁には、南側開口部が設けられ、前記北側空間部の床面は、熱容量の大きい材料で形成され、前記南側空間部の前記南側の外壁側の床面は、前記北側空間部の前記床面よりも高く、前記連通部の上端は、前記南側空間部の天井と同じ高さ又は前記南側空間部の天井よりも低く設けられていることを特徴とする。
【０００７】
このように構成された建物では、北側の外気が、１階の北側空間部の北側の外壁に設けられた北側開口部から北側空間部に導入される。北側開口部に導入された外気は、熱容量の大きい材料で形成された北側空間部の床面に沿って流通するため、温度上昇が抑えられた状態で流通する。この空気（外気）は、連通部を通過して南側空間部に導入される。連通部の上端は南側空間部の天井と同じ高さか南側空間部の天井よりも低く設けられているため、空気は、連通部を通過する際に上方への拡散が抑制される。南側空間部に導入された空気は、南側の外壁に設けられた南側開口部から建物の外部に排出される。このように、北側の冷たい外気を、温度上昇を抑えつつ、南側空間部へスムーズに導入する流れを形成することができる。よって、冷たい外気を建物の１階で効果的に流通させることができる。
また、南側空間部において、南側に向かうにしたがって上方へと流れる空気の流れが生じた場合でも、この空気を北側空間部の床面よりも高い南側空間部の南側の外壁側の床面に沿って流通させることができる。
【０００８】
また、本発明に係る建物は、前記連通部は、前記北側空間部と前記南側空間部とを連通する室内開口部であることが好ましい。
【０００９】
このように構成された建物では、連通部は室内開口部であるため、連通部における北側から南側に向かう方向の長さは、例えば連通部が廊下等の場合よりも短くすることができる。よって、北側開口部から導入された外気を、速やかに南側空間部に導入することができる。
【００１０】
また、本発明に係る建物は、前記室内開口部は、開閉可能な建具で構成され、該建具の少なくとも下部には、厚さ方向に貫通する通風開口部が形成されてもよい。
【００１１】
このように構成された建物では、建具を開閉することにより、連通部を通過する空気の量を調整することができる。さらに、建具の少なくとも下部には厚さ方向に貫通する通風開口部が形成されているため、建具を閉めた状態においても、適度な空気の流れを形成することができる。
【００１２】
また、本発明に係る建物は、前記北側開口部の上端は、前記南側開口部の上端よりも低く設けられていてもよい。
【００１３】
このように構成された建物では、北側開口部の上端が南側開口部の上端よりも低く設けられているため、下方にある外気、つまり上方よりも冷たい外気が北側開口部から導入される。よって、より冷たい外気を、南側空間部へ流通されることができる。
【００１４】
また、本発明に係る建物は、前記北側開口部の開口面積は、前記南側開口部の開口面積よりも小さくてもよい。
【００１５】
このように構成された建物では、北側開口部の開口面積は南側開口部の開口面積よりも小さいため、北側開口部から北側空間部に導入される外気は、南側空間部へ向かう方向性をもって流通する。よって、建物内において、外気を南側空間部以外の方向への拡散を抑制することができるため、外気を南側空間部へ効果的に流通されることができる。
【発明の効果】
【００１６】
本発明に係る建物によれば、冷たい外気を建物の１階で効果的に流通させることができる。
【図面の簡単な説明】
【００１７】
【図１】本発明の一実施形態に係る建物の要部の平面図である。
【図２】図１のＡ−Ａで切断した斜視図である。
【図３】本発明の一実施形態の変形例１に係る建物の要部の平面図である。
【図４】図３のＢ−Ｂで切断した斜視図である。
【図５】本発明の一実施形態の変形例２に係る建物の要部の立断面図である。
【図６】本発明の一実施形態の変形例３に係る建物の建具の（ａ）正面図であり、（ｂ）（ａ）のＣ−Ｃ断面図である。
【図７】本発明の一実施例に係る建物の一階平面図である。
【図８】本発明の一実施例に係る建物の二階平面図である。
【図９】図７，図８のＤ−Ｄ断面図である。
【発明を実施するための形態】
【００１８】
本発明の一実施形態に係る建物について説明する。
図１は、本発明の一実施形態に係る建物の要部の平面図である。図２は、図１のＡ−Ａで切断した斜視図である。
図１において、太線で示されている箇所は壁を示し、この太線間の細線で示されている箇所には窓や建具が設けられていることを示している。なお、後述する図３，５に示される本発明の変形例１〜３に係る建物も、図１と同様に示されている。
【００１９】
建物１００は、北側が中二階建てとされている。建物１００の北側部分の屋根Ｒ１は、南側から北側に向かうにしたがって次第に下方に傾斜する勾配屋根とされている。また、建物１００の南側部分の屋根Ｒ２は、略水平に形成された陸屋根とされている。
【００２０】
建物１００の１階には、北側から南側に向かって順に北側居室（北側空間部）１、南側居室（南側空間部）２が設けられている。
【００２１】
北側居室１の床面Ｆ１は、熱容量の大きい材料で形成されている。熱容量の大きい材料としては、コンクリートやタイルが採用される。北側居室１の天井Ｃ１は、略水平に設けられている。
【００２２】
北側居室１の北側の外壁Ｇ１には、床面Ｆ１に沿っていわゆる地窓（北側開口部）Ｗ１が設けられている。本実施形態では、床面Ｆ１から地窓Ｗ１の上端までの長さは約６０ｃｍとされている。
【００２３】
北側居室１と南側居室２との間には、これらの居室１，２を連通する連通部が設けられている。本実施形態では、連通部として開閉可能な引違い戸（室内開口部、建具）Ｒが採用されている。この引違い戸Ｒは、４枚の扉で構成されている。
【００２４】
南側居室２の天井Ｃ２は、略水平に設けられている。南側居室２の天井Ｃ２は、北側居室１の天井Ｃ１よりも上方に位置している。南側居室２の天井高は、北側居室１の天井高よりも高い。また、引違い戸Ｒの上端ＲＡは、南側居室２の天井Ｃ２よりも低く設けられている。
【００２５】
南側居室２は、北側部分に配置された出入口部２１と、出入口部２１の南側に配置された第一階段部２２と、第一階段部２２の南側に配置されたスキップフロア部２３と、を有している。
【００２６】
出入口部２１の床面Ｆ２１は、北側居室１の床面Ｆ１と同一高さに設けられている。第一階段部２２は、出入口部２１からスキップフロア部２３に向かって上る階段により構成されている。本実施形態では、第一階段部２２は、３段分の階段で構成されている。これにより、スキップフロア部２３の床面Ｆ２３は、北側居室１の床面Ｆ１及び出入口部２１の床面Ｆ２１よりも高く設けられている。本実施形態では、スキップフロア部２３の床面Ｆ２３は、北側居室１の床面Ｆ１及び出入口部２１の床面Ｆ２１よりも約４５ｃｍ高い。
【００２７】
スキップフロア部２３の南側の外壁Ｇ２には、床面に沿っていわゆる引違いの掃き出し窓（南側開口部）Ｗ２が設けられている。この掃き出し窓Ｗ２の上端ＷＢは、北側居室１に設けられた地窓Ｗ１の上端ＷＡよりも高く設けられている。また、掃き出し窓Ｗ２の開口面積（掃き出し窓Ｗ２の高さ寸法と幅寸法との積）は、地窓Ｗ１の開口面積（地窓Ｗ１の高さ寸法と幅寸法との積）よりも大きい。
【００２８】
スキップフロア部２３の北西部分には、北側に向かって上る第二階段部２４が設けられている。第二階段部２４を介して中二階部分には、中二階居室３が設けられている。
【００２９】
中二階居室３は、北側居室１の上方に配置されている。中二階居室３の天井Ｃ３は、南側から北側に向かうにしたがって次第に下方に傾斜する勾配天井とされている。
【００３０】
中二階居室３の天井Ｃ３は、南側居室２の天井Ｃ２と連続して設けられている。中二階居室３と南側居室２との境界部分には、中二階居室３の床面から立ち上がる腰壁部Ｋが設けられている。これにより、中二階居室３と南側居室２とは、腰壁部Ｋの上方の空間部により連通されている。
【００３１】
本実施形態においては、北側居室１、南側居室２及び中二階居室３の東側及び西側には、それぞれ他の居室（不図示）が配置されているが、説明を省略している。なお、北側居室１、南側居室２及び中二階居室３の東側及び西側に他の居室が配置されておらず、北側居室１、南側居室２及び中二階居室３の東側の壁部及び西側の壁部がそれぞれ外壁とされる構成であってもよい。
【００３２】
このように構成された建物１００では、北側の外気が、１階の北側居室１の外壁Ｇ１に設けられた地窓Ｗ１から北側居室１に導入される。北側居室１に導入された外気は、コンクリート等の熱容量の大きい材料で形成された北側居室１の床面Ｆ１に沿って流通するため、温度上昇が抑えられた状態で流通する。この空気（外気）は、開放された引違い戸Ｒの部分を通過して、南側居室２に導入される。引違い戸Ｒの上端ＲＡは、南側居室２の天井Ｃ２よりも低く設けられているため、空気は、開放された引違い戸Ｒの部分を通過する際に上方への拡散が抑制される。南側居室２に導入された空気は、南側の外壁Ｇ１に設けられた掃き出し窓Ｗ２から建物１００の外部に排出される。このように、北側の冷たい外気を、温度上昇を抑えつつ、南側居室２へスムーズに導入する流れを形成することができる。よって、冷たい外気を１階で効率的に流通させることができる。
【００３３】
また、南側居室２において、南側に向かうにしたがって上方へと流れる空気の流れが生じた場合でも、この空気を北側居室１の床面Ｆ１よりも高い南側居室２の床面Ｆ２３に沿って流通させることができる。
【００３４】
また、南側居室２の床面Ｆ２３は、熱容量の大きい材料で形成された北側居室１の床面Ｆ１よりも高い。また、北側居室１は、南側居室２と引違い戸Ｒで仕切られている。よって、北側居室１の使用形態と南側居室２の使用形態とを分けやすい。例えば、床面Ｆ１がコンクリート等で形成された北側居室１を趣味の部屋として使用し、南側居室２の床面Ｆ２３をフローリングで仕上げてリビングとして使用することができる。
【００３５】
また、北側居室１と南側居室２とを開閉可能な引違い戸Ｒで連通するため、北側居室１から導出された空気は、引違い戸Ｒの厚さ分だけ通過すれば、南側居室２に導入される。よって、北側居室１から導出された空気を速やかに南側居室２に導入することができる。
【００３６】
また、引違い戸Ｒを開閉することにより、通過する空気の量を調整することができる。また、南側居室２において北側居室１からの通風が必要ない場合には、引違い戸Ｒを閉じればよい。
【００３７】
また、地窓Ｗ１の上端ＷＡが掃き出し窓Ｗ２の上端ＷＢよりも低く設けられているため、下方にある外気、つまり上方よりも冷たい外気が地窓Ｗ１から導入される。よって、より冷たい外気を、南側居室２へ流通されることができる。
【００３８】
また、地窓Ｗ１の開口面積は、掃き出し窓Ｗ２の開口面積よりも小さいため、地窓Ｗ１から北側居室１に導入される外気は、南側居室２へ向かう方向性をもって流通する。よって、建物１００内において、外気を南側居室２以外の方向への拡散を抑制することができるため、外気を南側居室２に効果的に流通されることができる。
【００３９】
また、北側居室１の床面Ｆ１がコンクリートで構成されていれば、床面Ｆ１に水をまいて生じる気化熱を利用して、北側居室１を通過する空気を冷却させることができる。よって、より一層冷たい空気を南側居室２に導入することができる。
【００４０】
また、地窓Ｗ１（サッシ）の下端の位置が、北側居室１の床面Ｆ１よりも上方にある場合には、地窓Ｗ１を取り付けるために専用の基礎を設ける必要がある。また、地窓Ｗ１の下端の位置が、北側居室１の床面Ｆ１よりも下方にある場合には、地窓Ｗ１を取り付けるために基礎Ｋを切り欠かなくてはならない。一方、本発明では、地窓Ｗ１の下端の位置が、北側居室１の床面Ｆ１と同一高さにあるために、基礎Ｋをそのまま利用することができ、施工性を良好とすることができる。
【００４１】
また、南側居室２の床面Ｆ２３が北側居室１の床面Ｆ１よりも高く設けられているため、北側よりも南側が高くなるように高低差のある傾斜地に建物１００を構築する際には、造成する手間を抑えることができる。
【００４２】
（変形例１）
次に、上記に示す一実施形態の変形例１について、主に図３，４を用いて説明する。
なお、以下に説明する変形例においては、上記に示す実施形態と共通する構成については図中に同符号を付してその説明を省略する。
【００４３】
図３は、本発明の一実施形態の変形例に係る建物の要部の平面図である。図４は、図３のＢ−Ｂで切断した斜視図である。
図３，４に示すように、建物１００Ｘは、一階建て（平屋）とされている。建物１００Ｘの北側部分の屋根Ｒ１１は、南側から北側に向かうにしたがって次第に下方に傾斜する勾配屋根とされている。また、建物１００の南側部分の屋根Ｒ１２は、略水平に形成された陸屋根とされている。
【００４４】
本実施形態では、北側空間部は、駐車場、いわゆるビルトインガレージ１Ｘとされている。ビルトインガレージ１Ｘの東側の外壁Ｇ３には、外開口部Ｗ３が設けられている。本実施形態では、外開口部Ｗ３としてシャッターが採用されている。
【００４５】
ビルトインガレージ１Ｘの天井Ｃ１１は、南側から北側に向かうにしたがって次第に下方に傾斜する勾配天井とされている。この天井Ｃ１１の南側の端部には、鉛直方向に延びる垂れ壁部Ｔが設けられている。垂れ壁部Ｔの下端には、南側居室２Ｘの天井Ｃ１２の端部が接合されている。
【００４６】
ビルトインガレージ１Ｘと南側居室２Ｘとを連通する連通部Ｒ２０は、垂れ壁部Ｔの下方の空間とされている。連通部Ｒ２０の上端ＲＢ、つまり垂れ壁部Ｔの下端は、南側居室２Ｘの天井Ｃ１２と同じ高さに設けられている。
【００４７】
このように構成された建物１００Ｘでは、南側居室２Ｘの天井Ｃ１２と連通部Ｒ２０の上端ＲＢとは同じ高さであるため、連通部Ｒ２０を通過した空気を、南側居室２Ｘの上下方向にわたって流通させることができる。
【００４８】
（変形例２）
次に、上記に示す一実施形態の変形例２について、主に図５を用いて説明する。
図５は、本発明の一実施形態の変形例２に係る建物の要部の立断面図である。
図５に示すように、建物１００Ｙにおいて、北側居室１Ｙと、南側居室２Ｙとの間には、中間居室４が配置されている。
【００４９】
北側居室１Ｙと中間居室４との境界部分の北側室内壁Ｋ１には、室内ドアＲ２１が設けられている。また、中間居室４と南側居室２Ｙとの境界部分には、垂れ壁Ｔ２が設けられている。これら、室内ドアＲ２１、中間居室４及び垂れ壁Ｔ２の下方の空間Ｒ２２が、連通部を構成している。
【００５０】
これら室内ドアＲ２１の上端Ｒ２１Ａは、南側居室２Ｙの天井Ｃ１２よりも低く設けられている。中間居室４の天井Ｃ４（上端）は、南側居室２Ｙの天井Ｃ１２と同じ高さに設けられている。垂れ壁Ｔ２の下方の空間Ｒ２２の上端、つまり垂れ壁Ｔ２の下端Ｔ２Ａは、南側居室２Ｙの天井Ｃ１２よりも低く設けられている。
【００５１】
このように構成された建物１００Ｙでは、北側の冷たい外気を温度上昇を抑えた状態で南側居室２Ｙへ導入する流れを形成することができるとともに、通過する中間居室４にも冷たい空気を通過させることができる。
【００５２】
また、室内ドアＲ２１の上端Ｒ２１Ａは南側居室２Ｙの天井Ｃ１２よりも低く、中間居室４の天井Ｃ４（上端）は南側居室２Ｙの天井Ｃ１２と同じ高さであり、垂れ壁Ｔ２の下端Ｔ２Ａは南側居室２Ｙの天井Ｃ１２よりも低い。よって、空気が開放された室内ドアＲ１、中間居室４及び垂れ壁Ｋ１の下方の空間Ｒ２２を通過する際に、上方への流れが抑制されるため、冷たい空気を効率的に南側居室２Ｙに導入することができる。
【００５３】
（変形例３）
次に、上記に示す一実施形態の変形例３について、主に図６を用いて説明する。
図６は、本発明の一実施形態の変形例３に係る建物の建具の（ａ）正面図であり、（ｂ）（ａ）のＣ−Ｃ断面図である。
図６に示すように、北側居室１Ｚと南側居室２Ｚとを連通する連通部は、開閉可能な室内ドア（建具）Ｒ３１で構成されている。室内ドアＲ３１の下部には、ガラリ（通風開口部）Ｇ３１が設けられている。
【００５４】
室内ドアＲ３１の下部には、ガラリＧ３１を取り付けるためのドアの厚さ方向に貫通する取付孔ＧＡが形成されている。この取付孔ＧＡには、上下方向に離間して複数のガラリ羽根ＧＢが取り付けられている。
【００５５】
ガラリ羽根ＧＢは、例えば板状部材で構成されている。ガラリ羽根ＧＢの上面ＧＸ及び下面ＧＹが北側から南側に向かうにしたがって次第に下方に傾斜するようにして、ガラリ羽根ＧＢは配置されている。上下方向に隣接するガラリ羽根ＧＢ同士の空間部ＧＣは、空気の通過を可能としている。
【００５６】
このように構成された建物では、室内ドアＲ３１の下部にはガラリＧ３１が設けられているため、室内ドアＲ３１を閉めた状態でも、適度な空気の流れを形成することができる。
【００５７】
また、ガラリＧ３１の空間部ＧＣは、ガラリ羽根ＧＢの配置に対応して、北側から南側に向かうにしたがって次第に下方に傾斜するように形成されている。よって、ガラリＧ３１の空間部ＧＣを通過する空気には、北側から南側に向かうにしたがって次第に下方に向かう流れが形成される。よって、空気の上方への拡散が抑制されて、南側居室２Ｚの床面に沿った空気の流れが形成されやすい。
【００５８】
（実施例）
以下、本発明の実施例について、主に図７〜９を参照して説明する。
図７は、本発明の一実施例に係る建物の一階平面図である。図８は、本発明の一実施例に係る建物の二階平面図である。図９は、図７，図８のＤ−Ｄ断面図である。
図７〜９に示すように、建物１００Ａの一階において、東西方向の中間且つ北側には玄関５１が設けられている。玄関５１の南側は、西側に向かって延びる廊下６１と、南側に向かって延びる廊下６２とが連続して設けられている。廊下６２に面して、階段５２が設けられている。また、廊下６２の南側には、リビング・ダイニング・キッチン（以下、「ＬＤＫ」という。）１０２が設けられている。
【００５９】
ＬＤＫ１０２には、西側から東側に向かって順に、キッチン空間１０２Ｘ、ダイニング空間１０２Ｙ、スキップフロア部１２３が設けられている。さらに、ＬＤＫ１０２には、スキップフロア部１２３から北側に向かって下る階段で構成されたスキップ階段部１２２、及びスキップ階段部１２２の北側に配置された出入口部１２１が設けられている。
【００６０】
キッチン空間１０２Ｘには、例えばコンロ、シンク等を有するキッチン台１０２Ｘ１や冷蔵庫１０２Ｘ２が設置されている。キッチン空間１０２Ｘは、建物１００Ａの居住者がキッチン台１０２Ｘ１や冷蔵庫１０２Ｘ２を利用して調理を行う空間とされている。
【００６１】
ダイニング空間１０２Ｙには、例えばテーブル及び椅子で構成されるダイニングセット１０２Ｙ１が設置されている。ダイニング空間１０２Ｙは、建物１００Ａの居住者がダイニングセット１０２Ｙ１を利用して食事をする空間とされている。
【００６２】
スキップフロア部１２３には、例えばソファ（不図示。以下同じ。）やテレビ（不図示。以下同じ。）が設置されている。スキップフロア部１２３は、建物１００Ａの居住者がソファに着座しながらテレビを鑑賞してくつろぐ空間とされている。
【００６３】
スキップフロア部１２３の北側には、居室１０１が設けられている。ＬＤＫ１０２のスキップフロア部１２３と居室１０１とは、引違い戸１００Ｒで仕切られている。
【００６４】
ＬＤＫ１０２の出入口部１２１の床面Ｆ１２１は、居室１０１の床面Ｆ１０１と同一高さに設けられている。スキップ階段部１２２は、出入口部１２１からスキップフロア部１２３に向かって上る階段により構成されている。本実施形態では、スキップ階段部１２２は、３段分の階段で構成されている。これにより、スキップフロア部１２３の床面Ｆ１２３は、居室１０１の床面Ｆ１０１及び出入口部１２１の床面Ｆ１２１よりも高く設けられている。本実施形態では、スキップフロア部１２３の床面Ｆ１２３は、居室１０１の床面Ｆ１０１及び出入口部１２１の床面Ｆ１２１よりも約４５ｃｍ高い。
【００６５】
ＬＤＫ１０２の出入口部１２１の天井Ｃ１２１は、居室１０１の天井Ｃ１０１と同一高さに設けられている。スキップフロア部１２３の北側の天井Ｃ１２３は、出入口部１２１の天井Ｃ１２１よりも高く設定されている。スキップフロア部１２３の南側は、吹抜けＪとされている。吹抜けＪの天井Ｊ１２３は、北側から南側に向かうにしたがって下方に傾斜する勾配天井とされている。
【００６６】
スキップフロア部１２３の北側の天井Ｃ１２３はスキップ階段部１２２側に向かって延びるとともに、出入口部１２１の天井Ｃ１２１もスキップ階段部１２２側に向かって延びている。これにより、スキップ階段部１２２の上方では、垂れ壁Ｃ１２２が形成されている。
【００６７】
引違い戸１００Ｒの上端１００ＲＡは、出入口部１２１の天井Ｃ１２１、スキップフロア部１２３の北側の天井Ｃ１２３及び吹抜けＪの天井Ｊ１２３よりも低く設けられている。
【００６８】
スキップフロア部１２３の南側の外壁Ｇ１０２には、床面に沿っていわゆる引違いの掃き出し窓Ｗ１０２が設けられている。また、外壁Ｇ１０２において、掃き出し窓Ｗ１０２の上方（二階部分）には、開口部Ｗ１０３が設けられている。
【００６９】
居室１０１は、例えば建物１００Ａの居住者が趣味を楽しむ趣味の部屋等とされている。居室１０１の床面Ｆ１０１は、熱容量の大きい材料で形成されている。
【００７０】
居室１０１の北側の外壁Ｇ１０１には、床面Ｆ１０１に沿っていわゆる地窓Ｗ１０１が設けられている。地窓Ｗ１０１の上端１０１ＷＡは、スキップフロア部１２３に設けられた掃き出し窓Ｗ１０２の上端１０２ＷＢよりも低く設けられている。また、地窓Ｗ１０１の開口面積は、掃き出し窓Ｗ１０２の開口面積よりも小さい。
【００７１】
また、玄関５１から西側に向かって延びる廊下６１に面して、トイレ５３、脱衣・洗面室５４が設けられている。脱衣・洗面室５４の北側には、浴室５５が設けられている。
【００７２】
階段５２を上った二階には、南北に延びる廊下７１が設けられている。廊下７１の北側には、居室８１が設けられている。廊下７１の西側には、居室８２が設けられている。廊下７１の南側には、トイレ８３が設けられている。
【００７３】
廊下７１の東側には、ホール８４が設けられている。ホール８４の南側は、吹抜けＪとされている。このホール８４と吹抜けＪとの間には、腰壁１００Ｋが設けられている。
【００７４】
ホール８４の北側には、北側に向かって下る階段３段分のスキップ階段８５が設けられている。スキップ階段８５の北側には、居室８６が設けられている。
【００７５】
このように構成された建物１００Ａでは、北側の外気が、１階の居室１０１の外壁Ｇ１０１に設けられた地窓Ｗ１０１から居室１０１に導入される。居室１０１に導入された外気は、コンクリート等の熱容量の大きい材料で形成された居室１０１の床面Ｆ１０１に沿って流通するため、温度上昇が抑えられた状態で流通する。この空気（外気）は、開放された引違い戸１００Ｒの部分を通過して、ＬＤＫ１０２に導入される。引違い戸Ｒの上端１００ＲＡは、ＬＤＫ１０２の天井Ｃ１２１，Ｃ１２３，Ｊ１２３よりも低く設けられているため、空気は、開放された引違い戸１００Ｒの部分を通過する際に上方への拡散が抑制される。ＬＤＫ１０２に導入された空気は、南側の外壁Ｇ１０２に設けられた掃き出し窓Ｗ１０２及び開口部Ｗ１０３から建物１００Ａの外部に排出される。このように、北側の冷たい外気を、温度上昇を抑えつつ、ＬＤＫ１０２へスムーズに導入する流れを形成することができる。よって、冷たい外気を１階で効率的に流通させることができる。
【００７６】
なお、上述した実施の形態において示した各構成部材の諸形状や組み合わせ等は一例であって、本発明の主旨から逸脱しない範囲において設計要求等に基づき種々変更可能である。
【００７７】
例えば、北側居室１の北側に植栽（不図示）を設けてもよい。この場合には、植栽の設けられている部分を周りよりも温度の低い空間（クールスポツト）とすることができる。そして、植栽の葉の蒸散作用を利用して、地窓Ｗ１から流入する空気を効果的に冷却することができる。
【符号の説明】
【００７８】
１００…建物
１…北側居室（北側空間部）
２…南側居室（南側空間部）
Ｃ２…南側居室２の天井（南側空間部の天井）
Ｆ１…北側居室１の床面（北側開口部の床面）
Ｇ…ガラリ（通風開口部）
Ｒ…引違い戸（連通部、室内開口部、建具）
ＲＡ…引違い戸Ｒの上端（連通部の上端）
Ｗ１…地窓（北側開口部）
ＷＡ…地窓Ｗ１の上端（北側開口部の上端）
Ｗ２…掃き出し窓（南側開口部）
Ｗ３…外開口部
ＷＢ…掃き出し窓Ｗ２の上端（南側開口部の上端）
【図１】
2016069938.tif 000003
【図２】
2016069938.tif 000004
【図３】
2016069938.tif 000005
【図４】
2016069938.tif 000006
【図５】
2016069938.tif 000007
【図６】
2016069938.tif 000008
【図７】
2016069938.tif 000009
【図８】
2016069938.tif 000010
【図９】
2016069938.tif 000011